(57)【要約】      （修正有）【課題】自動車を水害から守る装置を提供する。【解決手段】外套体と、外套体内部の気嚢室を含む。外套体の材質は拡張性がよく、摩擦に強く及び防水の特性を持ち、上下二つの対応する個体であり、端及び適切な位置を接着して、複数の気嚢室を形成する。予め各気嚢室にそれぞれ気嚢袋を入れ、該気嚢袋のノズルを外套体の外側に突出させ、ノズルと外套体の接着する箇所も、完全に密着する。【選択図】図１
0003168992.tif 000002
【実用新案登録請求の範囲】
【請求項１】
外套体と、該外套体の内部の気嚢室を含み、
該外套体の材質は拡張性がよく、摩擦に強く及び防水の特性を持ち、該外套体は上下二つの対応する個体であり、
該外套体の端及び所定の位置を接着し、複数の気嚢室からなる気嚢室体を形成すると共に四隅に切欠部を設け、
各気嚢室は水を浸透させず、
各気嚢室のサイズに合わせた気嚢袋が、各気嚢室に包含され、
該気嚢袋のノズルを外套体の外側に突出させ、該ノズルと外套体の接着する箇所も、完全に密着して水を浸透させないことを特徴とする、自動車を水害から守る装置。
【請求項２】
前記外套体の前後両端にそれぞれ固定ロープを設置することを特徴とする請求項１記載の自動車を水害から守る装置。
【請求項３】
前記外套体の左右両端にそれぞれ弾力性のある安全ロープを具有することを特徴とする請求項１記載の自動車を水害から守る装置。
【請求項４】
前記欠口部の端にマジックテープ（登録商標）を設置し、組合せ套体を貼り合せることを特徴とする請求項１記載の自動車を水害から守る装置。
【請求項５】
前記組合せ套体は、所定の位置に接着処理された気嚢室を含み、
前記組合せ套体の端にマジックテープ（登録商標）を設置し、
該気嚢室内に気嚢袋を具有し、該気嚢袋のノズルが組合せ套体の外側に突出することを特徴とする請求項４記載の自動車を水害から守る装置。
【考案の詳細な説明】
【技術分野】
【０００１】
本考案は自動車を水害から守る装置の構造に関し、特に頻繁に水害が発生する場所で、自動車のボディを高く上げ、車体に水が浸水するのを防止することで、冠水車になるのを防止することができる。また、本装置は救命道具に、或いは野外にて簡易の屋根或いはベッドとなり、機能が多様化である自動車を水害から守る装置に関する。
【背景技術】
【０００２】
地球温暖化により世界的に水の循環スピードが速くなり、洪水や干ばつなど極端な気象現象が発生する割合が高くなり、状況がますますひどくなる傾向にある。世界の人口の半分近くは沿海から１００キロ以内に居住しているため、海水面が数メートル上昇するだけで、くぼ地では洪水が氾濫し、人口の分布地域に大きく影響を及ぼしている。世界各地で発生する水害が日を追うごとに被害が大きくなり、今まで洪水が発生する可能性が無かった場所でも発生するようになり、洪水が氾濫していたところも地球温暖化現象によりますますひどくなっている。地球の人々にこの事実を知ってもらうほか、我々は地球温暖化を食い止めるのに、できることはたくさんある。最も大事なのは『地球環境を重視する観念』を持つことである。今まで洪水が発生すると、路上或いは住居付近に駐車する自動車は全て冠水車になった。自動車の使用寿命が短くなるだけでなく、修理代が高額である。また、特にくぼ地では自動車内に冠水し、救助を待つ間に溺死してしまうこともあることを鑑みて、簡単に使用でき、いつもトランクに収納し、上記の問題を防止することのできる装置を案出する必要があった。
【先行技術文献】
【特許文献】
【０００３】
【特許文献１】登録実用新案第３１０００９０号公報
【考案の概要】
【考案が解決しようとする課題】
【０００４】
本考案の主な課題は、自動車を水害から守る装置を提供することにある。
【課題を解決するための手段】
【０００５】
上述の目的を解決するために、本考案は自動車を水害から守る装置の構造を提供するものである。該外套体の材質は拡張性がよく、摩擦に強く及び防水の特性を持つ。該外套体１は上下二つの対応する個体であり、機械を用いて端及び適切な位置を接着すると、複数の気嚢室を形成し、且つ各気嚢室は水を浸透させない。機械を用いて接着する前に、予め各気嚢室に気嚢袋を入れ、該気嚢袋のノズルを外套体の外側に突出させ、ノズルと外套体の接着する箇所も、完全に密着して水を浸透させない。頻繁に軽い洪水が発生する地域である場合、予め外套体を自動車の車底に設置し、ノズルから空気を気嚢袋に入れることで、外套体を膨らませて自動車の車体を高く持ち上げる。自動車は本考案により水面に浮き、冠水車になるのを防止する。
【０００６】
本考案は下記のメリットを具有する。
メリット１：洪水が発生する際、路上或いは住居付近に駐車する自動車は、本考案により自動車を水面に浮かせることができ、車に水が浸入しないため、自動車のエンジン及び回路を守り、冠水車になるのを防止する。
メリット２：くぼ地の野外地域で激しい洪水が発生する際、本考案は救命道具となり、溺水を防止する。
メリット３：洪水の心配がないキャンプ場では、本考案に空気を入れると、快適なベッドとなる。
メリット４：洪水の心配がないキャンプ場では、本考案に空気を入れずに、簡易の日よけ或いは雨よけの屋根となる。
メリット５：本考案に空気を入れずに折り畳むと、自動車のトランクに収納することができ、携帯しやすくスペースを取らない。
【考案の効果】
【０００７】
本考案は外套体、気嚢室の設置により、洪水が発生する際に、気嚢室に空気を入れて自動車のボディを高く上げ、車体に水が浸水するのを防止することで、冠水車になるのを防止することができるほか、本考案を救命道具に、或いは野外にて簡易の屋根或いはベッドとして使用することもできる。
【図面の簡単な説明】
【０００８】
【図１】本考案の平面図である。
【図２】本考案に空気を入れた後の立体図である。
【図３】本考案に空気を入れた後の断面図である。
【図４】本考案を収納する際の略図である。
【図５】本考案に空気を入れる前、自動車の車底に敷く略図である。
【図６】本考案を自動車の車底に敷き、空気を入れた後の略図である。
【図７】本考案の外套体と組合せ套体を組み合わせる略図である。
【図８】本考案を救命道具として使用する略図である。
【図９】本考案を簡易の屋根として使用する略図である。
【考案を実施するための形態】
【０００９】
本考案による自動車を水害から守る装置の構造を明確に示すために図に沿って詳細な説明を行う。
【実施例】
【００１０】
図１、図２及び図３に示すように、本考案は自動車を水害から守る装置であり、該外套体の材質は拡張性がよく、摩擦に強く及び防水の特性を持つ。該外套体１は上下二つの対応する個体であり、四隅に切欠部３を設け、機械を用いて端１０及び適切な位置を接着すると、複数の気嚢室１１を形成し、且つ各気嚢室１１は水を浸透させない。機械を用いて接着する前に、予め各気嚢室１１のサイズに合わせた気嚢袋２をそれぞれ各気嚢室１１に入れ、該気嚢袋のノズル２０を外套体１の外側に突出させ、ノズル２０と外套体１の接着する箇所も、完全に密着して水を浸透させない。図５及び図６に示すように、自動車の車体を持ち上げる際、本考案を自動車の下に設置し、四つの車輪を外套体１の四つの切欠部３に位置させてから、外套体１内にある気嚢袋２に空気を注入すれば、軽々と自動車の車体を持ち上げることができる。この時、自動車のシャシは外套体１の上表面と貼合するため、宙に浮くことがなく、外套体１にかかる力が均等であるため、外套体１が破れるのを防止する。
【００１１】
機械を使って接着処理して形成する複数の気嚢室１１は、自動車のサイズに基づき、自動車の車体を持ち上げられ、及び外自動車の重さに耐えうること考慮し、適切な数量を設置する。
【００１２】
図１、図２、図３、及び図５、図６に示すように、該外套体１の前後両端にそれぞれ固定ロープ１２を設置し、大型物体である固定物に縛り付けることができ、自動車が流されるのを防止する。該外套体１の左右両端にもそれぞれ弾力性のある安全ロープ１３を具有し、自動車の車体を外套体１としっかり結びつけ、車体が外套体１と離脱するのを防止する。
【産業上の利用可能性】
【００１３】
図４に示すように、外套体１を使用しない際は、たたんでトランク内に収納することができる。
【００１４】
図７及び図８に示すように、本考案は外套体１にある四つの切欠口部３の端１０にマジックテープ（登録商標）６を設置した上で、それぞれ組合せ套体４を貼り合せることができる。該組合せ套体４と外套体１により、四方形のベッド状のものを構成する。該組合せ套体４の端４０及び適切な位置に機械を用いて接着処理し、気嚢室４１を形成し、端４０にマジックテープ（登録商標）６を設置する。該気嚢室４１内に気嚢袋５を具有し、該気嚢袋５のノズル５０を組合せ套体４の外側に突出させ、ノズル５０より気嚢袋５内に空気を出し入れする。くぼ地の野外地域で洪水が発生する際、本考案を救命道具として用いると、溺水を防ぐことができる。また、外套体１の前後両端にある固定ロープ１２を使って、木の幹などの大型固定物に固定すると、空気を入れた外套体１と組合せ套体４が随意に漂流するのを防止し、救援を待つことができる。もちろん状況に応じて、船として安全な場所まで漕ぐこともできる。左右の両端にある安全ロープ１３を人体に縛ることで、溺水を防止することができる。また、天気のいい日に野外活動を行う際、空気を入れた外套体１は快適なベッドやクッションとして使用することができる。
【００１５】
図９に示すように、同じく野外活動の際、空気を入れずに外套体１と組合せ套体４を貼り合せた後、簡易の日よけや雨よけの屋根となることができ、該固定ロープ１２及び安全ロープ１３を手軽に木の幹に固定することができる。
【００１６】
以上の実施例による本考案の詳細な説明は本考案の範囲を制限するものではない。本技術に熟知する者が、本考案の範囲内及び類似するデザインや配置、応用を行っても、本考案の重要な意義は失われず、本考案の範囲に含まれる。
【符号の説明】
【００１７】
１  外套体
１０  端
１１  気嚢室
１２  固定ロープ
１３  安全ロープ
２  気嚢室
２０  ノズル
３  切欠部
４  組合せ套体
４０  端
４１  気嚢室
５  気嚢袋
５０  ノズル
６  マジックテープ（登録商標）
【図１】
0003168992.tif 000003
【図２】
0003168992.tif 000004
【図３】
0003168992.tif 000005
【図４】
0003168992.tif 000006
【図５】
0003168992.tif 000007
【図６】
0003168992.tif 000008
【図７】
0003168992.tif 000009
【図８】
0003168992.tif 000010
【図９】
0003168992.tif 000011